(57)【要約】 【課題】対象物へ容易に着脱することができる無線タグラベル、タグテープロール、これを用いた無線タグ回路素子カートリッジ、及びタグラベル作成装置を提供する。【解決手段】無線タグラベルは、情報を記憶するＩＣ回路部１５１と情報の送受信を行うアンテナ１５２Ａ，１５２Ｂとを備えた無線タグ回路素子を配置したベースフィルム１０１ｂと、ファスナー取付用基材層１０１ｊの裏面に設けられた、ベースフィルム１０１ｂを貼り付け対象に貼り付けるための面ファスナー層１０１Ｆと、この面ファスナー層の貼り付け側を覆う剥離ラベル１０１Ｇとを備える。剥離ラベルは、面ファスナー層１０１Ｆの仮止め部材としての低粘着層１０１ｄを剥離紙ｅに設けており、貼り付け時には低粘着層１０１ｄごと剥離され、面ファスナー層が露出される。【選択図】  図７
2007065250.tif 000002
【特許請求の範囲】
【請求項１】
情報を記憶するＩＣ回路部と情報の送受信を行うアンテナとを備えた無線タグ回路素子を配置したタグテープ基材層と、
このタグテープ基材層を貼り付け対象に貼り付けるための面ファスナー層と、
この面ファスナー層の前記貼り付け側を覆う仮止め部材を備え、貼り付け時には剥離される剥離ラベルと
を有することを特徴とする無線タグラベル。
【請求項２】
請求項１記載の無線タグラベルにおいて、
前記面ファスナー層は、係合対象に係合可能な鉤形状を備えた多数のフック部を有することを特徴とする無線タグラベル。
【請求項３】
請求項２記載の無線タグラベルにおいて、
前記剥離ラベルは、剥離可能に前記多数のフック部に係合する多数のループ部を前記仮止め部材として備えた第１剥離材層であることを特徴とする無線タグラベル。
【請求項４】
請求項２記載の無線タグラベルにおいて、
前記剥離ラベルは、
剥離可能に前記多数のフック部に係合する多数のループ部を前記仮止め部材として備えたループ側基材層と、
このループ側基材層を貼り付け対象に貼り付けるための貼り付け用粘着材層と、
この貼り付け用粘着材層の前記貼り付け側を覆い、貼り付け時には剥離される第２剥離材層と
を有することを特徴とする無線タグラベル。
【請求項５】
請求項４記載の無線タグラベルにおいて、
前記ループ部及び前記フック部を誘電率３以下の低誘電率材により構成したことを特徴とする無線タグラベル。
【請求項６】
請求項４又は５記載の無線タグラベルにおいて、
前記貼り付け用粘着材層と前記無線タグ回路素子との間に高透磁率層を設けたこと特徴とする無線タグラベル。
【請求項７】
請求項４乃至６のいずれか１項記載の無線タグラベルにおいて、
前記ループ側基材層に備えられた前記ループ部の配置密度を、前記面ファスナー層に備えられた前記フック部の配置密度より小さくしたことを特徴とする無線タグラベル。
【請求項８】
請求項１又は２記載の無線タグラベルにおいて、
前記仮止め部材は、剥離可能に前記面ファスナー層に粘着する仮止め用粘着材であることを特徴とする無線タグラベル。
【請求項９】
請求項１乃至８のいずれか１項記載の無線タグラベルにおいて、
前記面ファスナー層は、前記タグテープ基材層のうち、前記無線タグ回路素子の前記ＩＣ回路部の配置領域に対応する領域を避けるように、そのラベル長手方向両側にそれぞれ設けられていることを特徴とする無線タグラベル。
【請求項１０】
請求項１乃至８のいずれか１項記載の無線タグラベルにおいて、
前記面ファスナー層は、前記タグテープ基材層のうち、前記無線タグ回路素子の配置領域に対応する領域を避けるように、その外周部に設けられていることを特徴とする無線タグラベル。
【請求項１１】
請求項１乃至８のいずれか１項記載の無線タグラベルにおいて、
前記面ファスナー層は、前記タグテープ基材層のうち、ラベル長手方向両端部を避けるように、そのラベル長手方向中央側に設けられていることを特徴とする無線タグラベル。
【請求項１２】
請求項１乃至１１のいずれか１項記載の無線タグラベルにおいて、
前記タグテープ基材層に配置され、前記無線タグ回路素子を配置した略シート状のアンテナ基材と、
このアンテナ基材を前記タグテープ基材層に定置させるための定置用粘着材層と
を有することを特徴とする無線タグラベル。
【請求項１３】
情報を記憶するＩＣ回路部と情報の送受信を行うアンテナとを備えた無線タグ回路素子を複数配置したテープ状のタグテープ基材層と、
このタグテープ基材層を貼り付け対象に貼り付けるための面ファスナー層と、
この面ファスナー層の前記貼り付け側を覆う仮止め部材を備え、貼り付け時には剥離される剥離ラベルと
を有するタグテープを、テープ長手方向と略直交するリール軸の周りに巻回して構成したことを特徴とするタグテープロール。
【請求項１４】
請求項１３記載のタグテープロールにおいて、
前記タグテープは、
前記タグテープ基材層にその長手方向に所定の間隔で配置され、前記無線タグ回路素子をそれぞれ配置した略シート状の複数のアンテナ基材と、
これら複数のアンテナ基材を前記タグテープ基材層に定置させるための定置用粘着材層とを有することを特徴とするタグテープロール。
【請求項１５】
情報を記憶するＩＣ回路部と情報の送受信を行うアンテナとを備えた無線タグ回路素子を複数配置したテープ状のタグテープ基材層と、
このタグテープ基材層を貼り付け対象に貼り付けるための面ファスナー層と、
この面ファスナー層の前記貼り付け側を覆う仮止め部材を備え、貼り付け時には剥離される剥離ラベルとを有するタグテープをテープ長手方向と略直交するリール軸の周りに巻回して構成したタグテープロールを収納し、
このタグテープロールから繰り出した前記タグテープを用いてタグラベルを作成するタグラベル作成装置に対し着脱可能に構成された無線タグ回路素子カートリッジ。
【請求項１６】
請求項１５記載の無線タグ回路素子カートリッジにおいて、
前記タグテープロールに巻回された前記タグテープは、
前記タグテープ基材層にその長手方向に所定の間隔で配置され、前記無線タグ回路素子をそれぞれ配置した略シート状の複数のアンテナ基材と、
これら複数のアンテナ基材を前記タグテープ基材層に定置させるための定置用粘着材層とを有することを特徴とする無線タグ回路素子カートリッジ。
【請求項１７】
情報を記憶するＩＣ回路部と情報の送受信を行うアンテナとを備えた無線タグ回路素子を配置したタグテープ基材層と、このタグテープ基材層を貼り付け対象に貼り付けるための面ファスナー層と、この面ファスナー層の前記貼り付け側を覆う仮止め部材を備え、貼り付け時には剥離される剥離ラベルとを有するタグ媒体を搬送する搬送手段と、
前記無線タグ回路素子との間で、無線通信により情報の送受信を行う送受信手段と、
前記搬送手段で搬送される前記タグ媒体又はこれに貼り合わされる被印字媒体に所定の印字を行う印字手段と
を有することを特徴とするタグラベル作成装置。
【請求項１８】
請求項１７記載のタグラベル作成装置において、
前記搬送手段は、
前記タグテープ基材層に配置され前記無線タグ回路素子を配置した略シート状の複数のアンテナ基材とこのアンテナ基材を前記タグテープ基材層に定置させるための定置用粘着材層とを有する前記タグ媒体を搬送することを特徴とするタグラベル作成装置。
【発明の詳細な説明】
【技術分野】
【０００１】
本発明は、外部と情報の無線通信が可能な無線タグラベル、このタグラベルをテープ状に連続的に作成するタグテープロール、これを用いた無線タグ回路素子カートリッジ、及びタグラベル作成装置に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグを対象物に取り付ける構成としては既に種々のものが提唱されており、例えば特許文献１に記載のものがある。この従来技術では、バンド本体の先端部にラチェットを設け、この先端部をヘッド部に設けた挿通孔に装通させた後、当該先端部のラチェットをヘッド部に設けたロック部でロックする構成の（例えばプラスチック製の）巻装バンドによって、無線タグを対象物に取り付けるようになっている。
【０００４】
【特許文献１】特開２００２−２１１６２６公報
【発明の開示】
【発明が解決しようとする課題】
【０００５】
しかしながら、上記従来技術では、無線タグを対象物に取り付けようとする際には、プラスチック製のバンド本体を折り曲げてヘッド部に通した後、バンド本体先端部のラチェットをロック部でロックする必要があり、取り付け自体が非常に面倒であった。しかも、ロック後にこれを取り外そうとする場合は、専用キーを挿通孔から差し込み操作する必要があり、非常に煩わしい作業が必要となっていた。
【０００６】
本発明の目的は、対象物へ容易に着脱することができる無線タグラベル、タグテープロール、無線タグ回路素子カートリッジ、及びタグラベル作成装置を提供することにある。
【課題を解決するための手段】
【０００７】
上記目的を達成するために、第１発明は、情報を記憶するＩＣ回路部と情報の送受信を行うアンテナとを備えた無線タグ回路素子を配置したタグテープ基材層と、このタグテープ基材層を貼り付け対象に貼り付けるための面ファスナー層と、この面ファスナー層の前記貼り付け側を覆う仮止め部材を備え、貼り付け時には剥離される剥離ラベルとを有することを特徴とする。
【０００８】
本願第１発明においては、タグテープ基材層に備えられた無線タグ回路素子のアンテナを介しＩＣ回路部への情報書き込み又は情報読み取りが行われた無線タグラベルの貼り付け対象側に面ファスナー層が設けられ、この面ファスナー層のさらに貼り付け対象側が剥離ラベルの仮止め部材に覆われている。ユーザの使用時には、剥離ラベルを剥離して面ファスナー層を露出させ、この面ファスナー層によってタグラベルを貼り付け対象に貼り付ける。このように面ファスナー層を用いて貼り付ける構造とすることにより、粘着材によって貼り付ける構造では困難であった布などに貼り付けることができるとともに、いったん貼り付けた後のものを引き剥がすことができ、着脱を容易とすることができる。またこの結果、再使用が可能となるので、用途に応じて繰り返し利用したり、貼り替えて利用することができる。
【０００９】
第２発明は、上記第１発明において、前記面ファスナー層は、係合対象に係合可能な鉤形状を備えた多数のフック部を有することを特徴とする。
【００１０】
係合対象の布等に面ファスナー層のフック部の鉤形状を係合させることで、面ファスナー層を介してタグラベルを貼り付け対象に貼り付けることができる。
【００１１】
第３発明は、上記第２発明において、前記剥離ラベルは、剥離可能に前記多数のフック部に係合する多数のループ部を前記仮止め部材として備えた第１剥離材層であることを特徴とする。
【００１２】
これにより、通常時は第１剥離層の多数のループ部を面ファスナー層の多数のフック部に係合させ仮止めすることで面ファスナー層を覆っておき、ユーザの使用時には、ループ部とフック部との係合を離脱させて剥離ラベルを剥離し面ファスナー層を露出させる構造を実現することができる。
【００１３】
第４発明は、上記第２発明において、前記剥離ラベルは、剥離可能に前記多数のフック部に係合する多数のループ部を前記仮止め部材として備えたループ側基材層と、このループ側基材層を貼り付け対象に貼り付けるための貼り付け用粘着材層と、この貼り付け用粘着材層の前記貼り付け側を覆い、貼り付け時には剥離される第２剥離材層とを有することを特徴とする。
【００１４】
これにより、通常時は剥離ラベルに備えられたループ側基材層の多数のループ部を面ファスナー層の多数のフック部に係合させ仮止めすることで面ファスナー層を覆っておき、ユーザの使用時にはループ部とフック部との係合を離脱させて剥離ラベルを剥離して面ファスナー層を露出させる。一方、剥離された剥離ラベルの第２剥離材層を剥離して貼り付け用粘着材層を露出させ、タグラベルを貼り付けたい箇所にその貼り付け用粘着材層によって剥離ラベルを貼り付ける。この場合は粘着材層による貼り付けなので、金属部分等に対しても剥離ラベルを貼り付けることができる。こうして貼り付けた剥離ラベルのループ側基材層のループ部に、上記面ファスナー層のフック部を係合させることで、タグラベルを金属部分等に対しても貼り付けることができる。なお、貼り付け時には、面ファスナー層のフック部と剥離ラベルのループ部とを係合させた状態のまま、剥離ラベルの第２剥離材層を引き剥がして貼り付け用粘着材層を露出させ、貼り付けるようにしてもよい。さらに、剥離ラベルを金属部分の複数箇所に設けておくことで、ユーザの用途に応じて、それら複数箇所の剥離ラベルのループ側基材層のループ部に対して面ファスナー層のフック部を自在に係合・離脱させ、自由に貼り替えを行うこともできる。
【００１５】
第５発明は、上記第４発明において、前記ループ部及び前記フック部を誘電率３以下の低誘電率材により構成したことを特徴とする。
【００１６】
これにより、無線タグラベルを金属部分に貼り付けたときに無線タグ回路素子における通信に生じうる悪影響を抑制することができる。
【００１７】
第６発明は、上記第４又は第５発明において、前記貼り付け用粘着材層と前記無線タグ回路素子との間に高透磁率層を設けたことを特徴とする。
【００１８】
高透磁率層を介在させて磁束路を確保することにより、無線タグラベルを金属部分に貼り付けたときに無線タグ回路素子における通信に生じうる悪影響を確実に抑制することができる。
【００１９】
第７発明は、上記第４乃至第６発明のいずれかにおいて、前記ループ側基材層に備えられた前記ループ部の配置密度を、前記面ファスナー層に備えられた前記フック部の配置密度より小さくしたことを特徴とする。
【００２０】
ループ部の配置密度が比較的小さいループ側基材層を用いることで、短時間貼り付け用や一時的な仮置き用等のためのタグラベル貼り付け部を設置することができる。
【００２１】
第８発明は、上記第１又は第２発明において、前記仮止め部材は、剥離可能に前記面ファスナー層に粘着する仮止め用粘着材であることを特徴とする。
【００２２】
これにより、通常時は仮止め用粘着材を面ファスナー層に粘着させ仮止めすることで面ファスナー層を覆っておき、ユーザの使用時には、粘着を離脱させて剥離ラベルを剥離し面ファスナー層を露出させる構造を実現することができる。
【００２３】
第９発明は、上記第１乃至第８発明のいずれかにおいて、前記面ファスナー層は、前記タグテープ基材層のうち、前記無線タグ回路素子の前記ＩＣ回路部の配置領域に対応する領域を避けるように、そのラベル長手方向両側にそれぞれ設けられていることを特徴とする。
【００２４】
無線タグラベル貼り付け対象部位に貼り付けたり引き剥がしたりする場合には、その動作によって曲げ力等が無線タグ回路素子のＩＣ回路部やアンテナとの接合部に作用して破損させる懼れがある。本願第９発明においては、面ファスナー層をＩＣ回路部領域以外の部分に設けることにより、上記曲げ力等が少なくともＩＣ回路部に作用するのを低減でき、無線タグ回路素子の耐久性を向上することができる。
【００２５】
第１０発明は、上記第１乃至第８発明のいずれかにおいて、前記面ファスナー層は、前記タグテープ基材層のうち、前記無線タグ回路素子の配置領域に対応する領域を避けるように、その外周部に設けられていることを特徴とする。
【００２６】
無線タグラベル貼り付け対象部位に貼り付けたり引き剥がしたりする場合には、その動作によって曲げ力等が作用する可能性がある。本願第１０発明においては、面ファスナー層を無線タグ回路素子領域以外の部分に設けることにより、上記曲げ力等が無線タグ回路素子全体に作用するのを低減でき、無線タグ回路素子の耐久性を確実に向上することができる。
【００２７】
第１１発明は、上記第１乃至第８発明のいずれかにおいて、前記面ファスナー層は、前記タグテープ基材層のうち、ラベル長手方向両端部を避けるように、そのラベル長手方向中央側に設けられていることを特徴とする。
【００２８】
面ファスナー層は構造上、カッタ等による切断が必ずしも容易でない部分である。本願第１１発明においては、最終的にカッタ等によって切断が行われてラベルが形成される部分である（あるいは切断部分に近い）ラベル両端部を避けて面ファスナー層を設けることにより、ラベル製造時の上記切断作業を容易にすることができる。
【００２９】
第１２発明は、上記第１乃至第１１発明のいずれかにおいて、前記タグテープ基材層に配置され、前記無線タグ回路素子を配置した略シート状のアンテナ基材と、このアンテナ基材を前記タグテープ基材層に定置させるための定置用粘着材層とを有することを特徴とする。
【００３０】
無線タグ回路素子をシート状のアンテナ基材に配置し、このアンテナ基材を定置用粘着材層でタグテープ基材層へ定置することで、アンテナ基材、定置用粘着材層、タグテープ基材層を含む堅固かつ製造容易な構造体を実現し、この構造体を上記面ファスナー層で貼り付け対象に貼り付けることができる。またアンテナ基材をタグテープ基材層に取り付ける構造とすることで、例えば切断前のタグテープにおける無線タグ回路素子の配置ピッチを自在に設定することも可能であり、この場合長さを可変に設定した無線タグラベルを作成することが可能である。
【００３１】
上記目的を達成するために、第１３発明は、情報を記憶するＩＣ回路部と情報の送受信を行うアンテナとを備えた無線タグ回路素子を複数配置したテープ状のタグテープ基材層と、このタグテープ基材層を貼り付け対象に貼り付けるための面ファスナー層と、この面ファスナー層の前記貼り付け側を覆う仮止め部材を備え、貼り付け時には剥離される剥離ラベルとを有するタグテープを、テープ長手方向と略直交するリール軸の周りに巻回して構成したことを特徴とする。
【００３２】
本願第１３発明においては、タグテープロールに巻回されたタグテープのタグテープ基材層に備えられた無線タグ回路素子のアンテナを介しＩＣ回路部への情報書き込み又は情報読み取りが行われタグテープが切断されて無線タグラベルが作成されるが、そのタグテープ基材の貼り付け対象側に面ファスナー層が設けられ、この面ファスナー層のさらに貼り付け対象側が剥離ラベルの仮止め部材に覆われている。これにより、無線タグラベルをユーザが使用する時には、剥離ラベルを剥離して面ファスナー層を露出させ、この面ファスナー層によってタグラベルを貼り付け対象に貼り付ける。このように面ファスナー層を用いて貼り付ける構造とすることにより、粘着材によって貼り付ける構造では困難であった布などに貼り付けることができるともに、いったん貼り付けた後のものを引き剥がすことができ、着脱を容易とすることができる。またこの結果、必要に応じてＩＣ回路部に記憶されている情報を更新して再び貼り付ける等の再使用が可能となるので、用途に応じて繰り返し利用したり、貼り替えて利用することができる。
【００３３】
第１４発明は、上記第１３発明において、前記タグテープは、前記タグテープ基材層にその長手方向に所定の間隔で配置され、前記無線タグ回路素子をそれぞれ配置した略シート状の複数のアンテナ基材と、これら複数のアンテナ基材を前記タグテープ基材層に定置させるための定置用粘着材層とを有することを特徴とする。
【００３４】
無線タグ回路素子をシート状のアンテナ基材に配置し、このアンテナ基材を定置用粘着材層でタグテープ基材層へ定置することで、アンテナ基材、定置用粘着材層、タグテープ基材層を含む堅固かつ製造容易な構造体を実現し、この構造体を備えた無線タグラベルを上記面ファスナー層で貼り付け対象に貼り付けることができる。またアンテナ基材をタグテープ基材層に取り付ける構造とすることで、例えば切断前のタグテープにおける無線タグ回路素子の配置ピッチを自在に設定することも可能であり、この場合長さを可変に設定した無線タグラベルを作成することが可能である。
【００３５】
上記目的を達成するために、第１５発明は、情報を記憶するＩＣ回路部と情報の送受信を行うアンテナとを備えた無線タグ回路素子を複数配置したテープ状のタグテープ基材層と、このタグテープ基材層を貼り付け対象に貼り付けるための面ファスナー層と、この面ファスナー層の前記貼り付け側を覆う仮止め部材を備え、貼り付け時には剥離される剥離ラベルとを有するタグテープをテープ長手方向と略直交するリール軸の周りに巻回して構成したタグテープロールを収納し、このタグテープロールから繰り出した前記タグテープを用いてタグラベルを作成するタグラベル作成装置に対し着脱可能に構成されたことを特徴とする。
【００３６】
本願第１５発明においては、収納されたタグテープロールに巻回されたタグテープのタグテープ基材層に備えられた無線タグ回路素子のアンテナを介しＩＣ回路部への情報書き込み又は情報読み取りが行われタグテープが切断されて無線タグラベルが作成されるが、そのタグテープ基材の貼り付け対象側に面ファスナー層が設けられ、この面ファスナー層のさらに貼り付け対象側が剥離ラベルの仮止め部材に覆われている。これにより、無線タグラベルをユーザが使用する時には、剥離ラベルを剥離して面ファスナー層を露出させ、この面ファスナー層によってタグラベルを貼り付け対象に貼り付ける。このように面ファスナー層を用いて貼り付ける構造とすることにより、粘着材によって貼り付ける構造では困難であった布などに貼り付けることができるともに、いったん貼り付けた後のものを引き剥がすことができ、着脱を容易とすることができる。またこの結果、再使用が可能となるので、用途に応じて繰り返し利用したり、貼り替えて利用することができる。
【００３７】
第１６発明は、上記第１５発明において、前記タグテープロールに巻回された前記タグテープは、前記タグテープ基材層にその長手方向に所定の間隔で配置され、前記無線タグ回路素子をそれぞれ配置した略シート状の複数のアンテナ基材と、これら複数のアンテナ基材を前記タグテープ基材層に定置させるための定置用粘着材層とを有することを特徴とする。
【００３８】
収納されたタグテープロールのタグテープにおいて、無線タグ回路素子をシート状のアンテナ基材に配置し、このアンテナ基材を定置用粘着材層でタグテープ基材層へ定置することで、アンテナ基材、定置用粘着材層、タグテープ基材層を含む堅固かつ製造容易な構造体を実現し、この構造体を備えた無線タグラベルを上記面ファスナー層で貼り付け対象に貼り付けることができる。またアンテナ基材をタグテープ基材層に取り付ける構造とすることで、例えば切断前のタグテープにおける無線タグ回路素子の配置ピッチを自在に設定することも可能であり、この場合長さを可変に設定した無線タグラベルを作成することが可能である。
【００３９】
上記目的を達成するために、第１７発明は、情報を記憶するＩＣ回路部と情報の送受信を行うアンテナとを備えた無線タグ回路素子を配置したタグテープ基材層と、このタグテープ基材層を貼り付け対象に貼り付けるための面ファスナー層と、この面ファスナー層の前記貼り付け側を覆う仮止め部材を備え、貼り付け時には剥離される剥離ラベルとを有するタグ媒体を搬送する搬送手段と、前記無線タグ回路素子との間で、無線通信により情報の送受信を行う送受信手段と、前記搬送手段で搬送される前記タグ媒体又はこれに貼り合わされる被印字媒体に所定の印字を行う印字手段とを有することを特徴とする。
【００４０】
本願第１７発明においては、搬送手段で搬送されるタグ媒体のタグテープ基材層に無線タグ回路素子が備えられている。そして、送受信手段でその無線タグ回路素子に情報送受信が行われてＩＣ回路部への情報書き込み又は情報読み取りが行われ、さらにタグ媒体（又は被印字媒体）に印字手段で印字が行われて無線タグラベルが作成される。このとき、タグテープ基材層の貼り付け対象側には面ファスナー層が設けられ、この面ファスナー層のさらに貼り付け対象側が剥離ラベルの仮止め部材に覆われており、無線タグラベルをユーザが使用する時には、剥離ラベルを剥離して面ファスナー層を露出させ、この面ファスナー層によってタグラベルを貼り付け対象に貼り付ける。このように面ファスナー層を用いて貼り付ける構造とすることにより、粘着材によって貼り付ける構造では困難であった布などに貼り付けることができるともに、いったん貼り付けた後のものを引き剥がすことができ、着脱を容易とすることができる。またこの結果、再使用が可能となるので、用途に応じて繰り返し利用したり、貼り替えて利用することができる。
【００４１】
第１８発明は、上記第１７発明において、前記搬送手段は、前記タグテープ基材層に配置され前記無線タグ回路素子を配置した略シート状の複数のアンテナ基材とこのアンテナ基材を前記タグテープ基材層に定置させるための定置用粘着材層とを有する前記タグ媒体を搬送することを特徴とする。
【００４２】
搬送手段で搬送されるタグ媒体において、無線タグ回路素子をシート状のアンテナ基材に配置し、このアンテナ基材を定置用粘着材層でタグテープ基材層へ定置することで、アンテナ基材、定置用粘着材層、タグテープ基材層を含む堅固かつ製造容易な構造体を実現することができるので、この構造体を備えた無線タグラベルを上記面ファスナー層で貼り付け対象に貼り付けることができる。またアンテナ基材をタグテープ基材層に取り付ける構造とすることで、例えば切断前のタグテープにおける無線タグ回路素子の配置ピッチを自在に設定することも可能であり、この場合長さを可変に設定した無線タグラベルを作成することが可能である。
【発明の効果】
【００４３】
本発明によれば、無線タグラベルを面ファスナー層を用いて貼り付ける構造とするので、いったん貼り付けた後のものを損傷する懼れなく容易に引き剥がすことができ、着脱を容易とすることができる。
【発明を実施するための最良の形態】
【００４４】
以下、本発明の一実施の形態を図面を参照しつつ説明する。
【００４５】
図１は、本実施形態の無線タグラベルを作成するタグラベル作成装置が適用される無線タグ生成システムを表すシステム構成図である。
【００４６】
図１に示すこの無線タグ生成システム１において、タグラベル作成装置２は、有線あるいは無線による通信回線３を介してルートサーバ４、端末５、汎用コンピュータ６、及び複数の情報サーバ７に接続されている。
【００４７】
図２は、上記タグラベル作成装置２の詳細構造を表す概念的構成図である。
【００４８】
図２において、タグラベル作成装置２の装置本体８には、凹所としてのカートリッジホルダ部（図示せず）が設けられ、このホルダ部にタグラベル作成装置用カートリッジ１００（無線タグ回路素子カートリッジ）が着脱可能に取り付けられている。
【００４９】
装置本体８は、カートリッジ１００を嵌合させる上記カートリッジホルダ部を備えるとともに外郭を構成する筐体９と、カバーフィルム１０３（被印字媒体）に所定の印字（印刷）を行う印字ヘッド（印字手段、この例ではサーマルヘッド）１０と、カバーフィルム１０３への印字が終了したインクリボン１０５を駆動するリボン巻取りローラ駆動軸１１と、カバーフィルム１０３と帯状の基材テープ１０１（タグテープ、タグ媒体）とを貼り合わせつつ印字済タグラベル用テープ１１０としてカートリッジ１００から繰り出すためのテープ送りローラ駆動軸１２と、印字済タグラベル用テープ１１０に備えられる無線タグ回路素子Ｔo（詳細は後述）との間でＵＨＦ帯等の高周波を用いて無線通信により信号の授受を行うアンテナ１４と、上記印字済タグラベル用テープ１１０を所定のタイミングで所定の長さに切断しラベル状の無線タグラベルＴ(詳細は後述)を生成するカッタ１５と、上記無線通信による信号授受時において無線タグ回路素子Ｔoをアンテナ１４に対向する所定のアクセスエリアに設定保持するとともに切断後の各無線タグラベルＴを案内するための一対の搬送ガイド１３と、その案内された無線タグラベルＴを搬出口（排出口）１６へと搬送し送出する送出ローラ１７と、搬出口１６における無線タグラベルＴの有無を検出するセンサ１８とを有している。
【００５０】
センサ１８は、例えば投光器及び受光器からなる反射型の光電センサである。投光器と受光器との間に無線タグラベルＴが存在しない場合には、その投光器から出力された光が受光器に入力される。一方、投光器と受光器との間に無線タグラベルＴが存在する場合には、投光器から出力された光が遮蔽されて受光器からの制御出力が反転させられるようになっている。
【００５１】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１及びテープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００５２】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線３に接続され、この通信回線３に接続された前述のルートサーバ４、他の端末５、汎用コンピュータ６、及び情報サーバ７等との間で情報のやりとりが可能となっている。
【００５３】
図３は、上記タグラベル作成装置２に備えられた本実施形態によるタグテープロールを備えたカートリッジ１００の詳細構造を説明するための説明図である。
【００５４】
この図３において、カートリッジ１００は、上記基材テープ１０１が巻回された第１ロール（タグテープロール）１０２と、上記基材テープ１０１と略同じ幅である透明な上記カバーフィルム１０３が巻回された第２ロール１０４と、上記インクリボン１０５（熱転写リボン、但しカバーフィルム１０３が感熱テープの場合は不要）を繰り出すリボン供給側ロール１１１と、印字後のインクリボン１０５を巻き取る上記リボン巻取りローラ１０６と、上記基材テープ１０１とカバーフィルム１０３とを押圧し接着させ上記印字済タグラベル用テープ１１０としつつ矢印Ａで示す方向にテープ送りをする圧着ローラ１０７（搬送手段）とを有している。
【００５５】
第１ロール１０２は、リール部材１０２ａの周りに、長手方向に複数の無線タグ回路素子Ｔoが所定の等間隔で連続的に順次形成された上記基材テープ１０１を巻回している。
【００５６】
基材テープ１０１はこの例では（無線タグ回路素子及びその近傍を除くと）基本的には７層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム（タグテープ基材層）１０１ｂ、適宜の粘着材からなる粘着層（定置用粘着材層）１０１ｃ、適宜の粘着材からなる粘着層１０１ｉ、適宜の材料からなるファスナー取付用基材層１０１ｊ、面ファスナー層１０１Ｆ、剥離ラベル１０１Ｇの順序で積層され構成されている。
【００５７】
ベースフィルム１０１ｂの裏側（図３中左側）には、粘着層１０１ｃを挟んで、上記保護フィルム１６０（保護部材）とこれに覆われる配置で情報を記憶するＩＣ回路部１５１とが設けられている。保護フィルム１６０は例えば樹脂から構成されており、ＩＣ回路部１５１は保護フィルム１６０の裏側（図３中左側）に位置している。この保護フィルム１６０の裏側（図３中左側）には、情報の送受信を行う２つのアンテナ１５２Ａ，１５２Ｂを表面側に予め配置すると共に、裏面側に上記アンテナパターンシート１６１（アンテナ基材）が一体的に設けられており、ＩＣ回路部１５１は２つの接続端子１５９Ａ，１５９Ｂを介してそれぞれアンテナ１５２Ａ，１５２Ｂに接続されている。
【００５８】
面ファスナー層１０１Ｆは、ファスナー取付用基材層１０１ｊを基材として、その裏面に微小な鈎形状のフック部１０１ｆを多数植設して構成されている。なお、ＩＣ回路部１５１とアンテナ１５２Ａ，１５２Ｂとによって無線タグ回路素子Ｔoが構成されている。
【００５９】
ベースフィルム１０１ｂ及び粘着層１０１ｃはその裏側（図３中左側）で、保護フィルム１６０と無線タグ回路素子Ｔo全体を内包するように覆い、またベースフィルム１０１ｂの表側（図３中右側）には、後にカバーフィルム１０３を接着するための上記粘着層１０１ａが形成されている。
【００６０】
上記のようにしてそれぞれが１つの無線タグ回路素子Ｔoを配置したアンテナパターンシート１６１は、上記粘着層１０１ｉを介し、略テープ状の上記ファスナー取付用基材層１０１ｊに例えば所定間隔で配設されている。このファスナー取付用基材層１０１ｊの表面に、フック部１０１ｆを備えた面ファスナー層１０１Ｆが設けられている。
【００６１】
剥離ラベル１０１Ｇは、仮止め部材としての低粘着層１０１ｄ（仮止め用粘着材）を剥離紙１０１ｅに設けて構成されており、この低粘着層１０１ｄで面ファスナー層１０１Ｆの上記フック部１０１ｆに弱い接着力で接着することにより、剥離ラベル１０１Ｇが低粘着層１０１ｄごと面ファスナー層１０１Ｆに対し着脱自在に取り付けられている。なお、この剥離ラベル１０１Ｇは、最終的にラベル状に完成した無線タグラベルＴが所定の布製等の商品に貼り付けられる際に、これを剥がすことで面ファスナー層１０１Ｆを露出して、そのフック部１０１ｆを当該商品の布等の繊維に係合して貼り付けられるようにしたものである。
【００６２】
第２ロール１０４は、リール部材１０４ａの周りに上記カバーフィルム１０３を巻回している。カバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００６３】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００６４】
上記構成のカートリッジ１００において、上記第１ロール１０２より繰り出された基材テープ１０１は、圧着ローラ１０７へと供給される。一方、第２ロール１０４より繰り出されるカバーフィルム１０３は、上述したようにその裏面にインクリボン１０５が当接させられるようになっている。
【００６５】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から５層構造の基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面（＝粘着層１０１ａ側の面）に所定の文字、記号、バーコード等の印字Ｒ（後述の図１０参照）が印刷（但し裏面から印刷するので印刷側から見て鏡面対称の文字等を印刷している）される。そして、上記５層構造の基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００６６】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００６７】
送信部３２は、無線タグ回路素子ＴoのＩＣ回路部１５１の無線タグ情報にアクセスする(読み取り又は書き込みを行う)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を増幅する送信アンプ３９とを備えている。そして、上記発生される搬送波は、好適にはＵＨＦ帯やマイクロ波帯の周波数を用いており、上記送信アンプ３９の出力は、送受分離器３４を介してアンテナ１４に伝達されて無線タグ回路素子ＴoのＩＣ回路部１５１に供給される。
【００６８】
受信部３３は、アンテナ１４により受信された無線タグ回路素子Ｔoからの反射波と上記発生させられた搬送波とを乗算して復調する受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に移相器４９で位相を９０°遅らせた搬送波とを乗算する受信第２乗算回路４４と、その受信第２乗算回路４４の出力から必要な帯域の信号のみを取り出すための第２バンドパスフィルタ４５と、この第２バンドパスフィルタ４５の出力を増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６９】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態に係るタグラベル作成装置２では、Ｉ−Ｑ直交復調によって無線タグ回路素子Ｔoからの反射波の復調が行われる。
【００７０】
図５は、上記第１ロール１０２に巻回された基材テープ１０１に備えられた上記無線タグ回路素子Ｔo及びその周辺部の詳細構造を表す、図３の部分拡大図中Ｖ−Ｖ′断面による矢視断面図である。また図６は、図５中Ａ部を抽出して示す部分拡大上面図であり、図７は、図６中VII−VII′断面による側断面図である。図８は、図７中VIII-VIII´断面による矢視水平断面図である。
【００７１】
これら図５、図６、図７及び図８において、上記ＩＣ回路部１５１と接続される側に複数の接続端部１５２ａ，１５２ｂをそれぞれ備え情報の送受信を行う上記アンテナ１５２Ａ及びアンテナ１５２Ｂと、これら２つのアンテナ１５２Ａ，１５２Ｂを表面側に予め配置して一体に設けると共に、裏面側にフック部１０１ｆを植設した略シート状の上記アンテナパターンシート１６１と、上記ＩＣ回路部１５１と、このＩＣ回路部１５１の一方側及び他方側端部１５１ａ，１５１ｂとこれらの近傍にそれぞれ位置する（テープ厚さ方向に重なる）アンテナ１５２Ａ，１５２Ｂの接続端部１５２ａ，１５２ｂとを互いに接続するために配置される上記接続端子１５９Ａ，１５９Ｂと、外部衝撃等からの保護を目的の一つとする上記保護フィルム１６０とが設けられている。そして、ＩＣ回路部１５１及びアンテナ１５２を備えた無線タグ回路素子Ｔo、これを覆うように設けた保護フィルム１６０、及びアンテナパターンシート１６１が、上記粘着層１０１ｃと上記粘着層１０１ｉとの間に挿入されるように介在配置されている。
【００７２】
保護フィルム１６０は、前述したように、上記ＩＣ回路部１５１及び上記接続端子１５９Ａ，１５９Ｂと、さらにアンテナ１５２Ａ，１５２Ｂ全体を略覆うように配設されており、それらを図７中上側より略覆っている。
【００７３】
図９は、上記無線タグ回路素子Ｔoの機能的構成を表す機能ブロック図である。この図９において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００７４】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７５】
変復調部１５８は、アンテナ１５２により受信された上記タグラベル作成装置２のアンテナ１４からの通信信号の復調を行うと共に、上記制御部１５５からの応答信号に基づき、アンテナ１５２が受信した搬送波を変調し、アンテナ１５２より反射波として再送信する。
【００７６】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００７７】
クロック抽出部１５６は受信した信号からクロック成分を抽出して制御部１５５にクロックを抽出するものであり、受信した信号のクロック成分の速度に対応したクロックを制御部１５５に供給する。
【００７８】
図１０（ａ）及び図１０（ｂ）は、上述のようにして無線タグ回路素子Ｔoの情報読み取り（又は書き込み）及び印字済タグラベル用テープ１１０の切断が完了し形成された無線タグラベルＴの外観の一例を表す図であり、図１０（ａ）は上面図、図１０（ｂ）は下面図である。また図１１は、図１０中ＸI−ＸI′断面(前述の図５においてはxi−xi′断面に相当)による横断面図である。
【００７９】
これら図１０（ａ）、図１０（ｂ）、及び図１１において、無線タグラベルＴは、図３に示した基本７層構造（無線タグ回路素子Ｔo等を除く）にカバーフィルム１０３が加わった８層構造となっており、カバーフィルム１０３側（図１１中上側）よりその反対側（図１１中下側）へ向かって、カバーフィルム１０３、粘着層１０１ａ、ベースフィルム１０１ｂ、粘着層１０１ｃ、粘着層１０１ｉ、ファスナー取付用基材層１０１ｊ、面ファスナー層１０１Ｆ、剥離ラベル１０１Ｇ（低粘着層１０１ｄ、剥離紙１０１ｅ）で基本８層構造を構成している。そして、前述したようにＩＣ回路部１５１及びアンテナ１５２等を備えた無線タグ回路素子Ｔo、これを覆うように設けた保護フィルム１６０、及びアンテナパターンシート１６１が、上記粘着層１０１ｃと粘着層１０１ｉとの間に挿入されるように配置されるとともに、カバーフィルム１０３の裏面に印字Ｒ（この例では無線タグラベルＴの種類を示す「ＲＦ−ＩＤ」の文字）が印刷されている。
【００８０】
図１２は、上述したようなタグラベル作成装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００８１】
図１２において、この例では、タグラベル種別、無線タグ回路素子Ｔoに対応して印刷された印字文字Ｒ、その無線タグ回路素子Ｔoに固有の識別情報であるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作によりタグラベル作成装置２が作動されて、カバーフィルム１０３に上記印字文字Ｒが印刷されると共に、ＩＣ回路部１５１に予め記憶された上記読み取りＩＤ及び物品情報等の無線タグ情報が読みとられる（又はＩＣ回路部１５１に上記書き込みＩＤ及び物品情報等の情報が書き込まれる）。
【００８２】
なお、印刷動作に伴い搬送ガイド１３を移動中の印字済タグラベル用テープ１１０に対してアクセスエリア内に保持してアクセス（読み取り又は書き込み）するようにしてもよいし、これに限られず、その印字済タグラベル用テープ１１０を所定位置で停止させて搬送ガイド１３にて保持した状態で上記アクセスを行うようにしてもよい。
【００８３】
また、上記のような読み取り又は書き込みの際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００８４】
上記において、送信部３２及び受信部３３を備えた高周波回路２１とアンテナ１４とが、各請求項記載の、無線タグ回路素子との間で、無線通信により情報の送受信を行う送受信手段を構成する。
【００８５】
以上のように構成した本実施形態においては、タグラベル作成装置２のカートリッジ１００から印刷済みタグラベル用テープ１１０として取り出され搬送ガイド１３によってアンテナ１４に対向する所定位置(アクセスエリア)に設定保持された無線タグ回路素子Ｔoに対し、順次アクセス(ＩＣ回路部１５１の無線タグ情報の読み取り又はＩＣ回路部１５１への書き込み)が行われ、カッタ１５により各無線タグ回路素子Ｔoごとに切断されて無線タグラベルＴが生成される。生成された無線タグラベルＴは、ユーザによって上記剥離ラベル１０１Ｇが剥がされて面ファスナー層１０１Ｆが露出された後、この面ファスナー層１０１Ｆを対象となる布製等の各種物品表面に押し付けることによって、面ファスナー層１０１Ｆの多数のフック部１０１ｆを物品表面の繊維に掛けて貼り付け使用される。
【００８６】
このように面ファスナー層１０１Ｆを用いて貼り付ける構造とすることにより、粘着材によって貼り付ける構造では困難であった布などに貼り付けることができるとともに、いったん貼り付けた後のものを引き剥がすことができ、着脱を容易とすることができる。またこの結果、再使用が可能となるので、用途に応じて繰り返し利用したり、貼り替えて利用することができる。
【００８７】
また本実施形態では特に、アンテナパターンシート１６１をベースフィルム１０１ｂに取り付ける構造とすることで、例えば基材テープ１０１における無線タグ回路素子Ｔoの配置ピッチを自在に設定することも可能であり、この場合長さを可変に設定した無線タグラベルＴを作成することも可能となる。
【００８８】
なお、本発明は、上記実施形態に限られるものではなく、その趣旨及び技術的思想を逸脱しない範囲内で、種々の変形が可能である。以下、そのような変形例を説明する。
【００８９】
（１）剥離ラベルにフック部を用いる場合
上記の実施形態では、低粘着層１０１ｄによって剥離ラベル１０１Ｇを面ファスナー層１０１Ｆに剥離可能に取り付けたが、これに代えて、接着以外の機械的係合によって面ファスナー層１０１Ｆに剥離可能に取り付けるようにしてもよい。
【００９０】
図１３は、この変形例の要部構造を表す側断面図であり、上記実施形態の図７に相当する図である。図７と同等の部分には同一の符号を付し、説明を省略又は簡略化する。この図１３において、この剥離ラベル１０１Ｇは、ファスナー取付用基材層１０１ｊ裏面の面ファスナー層１０１Ｆへの仮止め部材として、面ファスナー層１０１Ｆのフック部１０１ｆに係合する多数のループ部１０１ｒを剥離紙（第１剥離材層）１０１ｈに植設して、該ループ部１０１ｒによってフック部１０１ｆに剥離可能に係合させたものである。
【００９１】
これにより、通常時は剥離ラベル１０１Ｇの多数のループ部１０１ｒを面ファスナー層１０１Ｆの多数のフック部１０１ｆに係合させて仮止めすることにより、剥離ラベル１０１Ｇで面ファスナー層１０１Ｆを覆っておき、ユーザの使用時には、ループ部１０１ｒとフック部１０１ｆとの係合を離脱させて剥離ラベル１０１Ｇを剥離し、面ファスナー層１０１Ｆを露出させる構造を実現することができる。
【００９２】
（２）剥離ラベルを金属部材等に粘着可能とした場合
図１４は、この変形例の要部構造を表す側断面図であり、上記実施形態の図７や上記（１）の変形例の図１３に相当する図である。図７及び図１３と同等の部分には同一の符号を付し、説明を省略又は簡略化する。この図１４において、剥離ラベル１０１Ｇは、ファスナー取付用基材層１０１ｊ裏面の面ファスナー層１０１Ｆへの仮止め部材として、面ファスナー層１０１Ｆのフック部１０１ｆに係合する多数のループ部１０１ｒを植設したループ側基材層１０１ｋと、このループ側基材層１０１ｋを貼り付け対象に貼り付けるための強粘着材の貼り付け用粘着材層１０１ｍと、この貼り付け用粘着材層１０１ｍの貼り付け側を覆い、貼り付け時には剥離される剥離紙（第２剥離材層）１０１ｎとからなっている。
【００９３】
これにより、通常時は剥離ラベル１０１Ｇに備えられたループ側基材層１０１ｋの多数のループ部１０１ｒを、面ファスナー層１０１Ｆの多数のフック部１０１ｆに係合させ仮止めすることで面ファスナー層１０１Ｆを覆っておき、ユーザの使用時にはループ部１０１ｒとフック部１０１ｆとの係合を離脱させて剥離ラベル１０１Ｇを剥離して面ファスナー層１０１Ｆを露出させる。一方、剥離された剥離ラベル１０１Ｇの剥離紙１０１ｎを剥離して貼り付け用粘着材層１０１ｍを露出させ、タグラベルＴを貼り付けたい箇所にその貼り付け用粘着材層１０１ｍによって剥離ラベル１０１Ｇを貼り付ける。この場合は粘着材層１０１ｍによる貼り付けなので、金属部分等に対しても剥離ラベル１０１Ｇを貼り付けることができる。こうして貼り付けた剥離ラベル１０１Ｇのループ側基材層１０１ｋのループ部１０１ｒに、上記面ファスナー層１０１Ｆのフック部１０１ｆを係合させることで、タグラベルＴを金属部分等に対しても貼り付けることができる。
【００９４】
なお、貼り付け時には、面ファスナー層１０１Ｆのフック部１０１ｆと剥離ラベル１０１Ｇのループ部１０１ｒとを係合させた状態のまま、剥離ラベル１０１Ｇの剥離紙１０１ｎを引き剥がして貼り付け用粘着材層１０１ｍを露出させて、金属部分等に貼り付けるようにしてもよい。さらに、剥離ラベル１０１Ｇを（例えば金属部分の）複数箇所に設けておくことで、ユーザの用途に応じて、それら複数箇所の剥離ラベル１０１Ｇのループ側基材層１０１ｋのループ部１０１ｒに対して面ファスナー層１０１Ｆのフック部１０１ｆを自在に係合・離脱させ、自由に貼り替えを行うこともできる。
【００９５】
なお、この場合、ループ部１０１ｒ及びフック部１０１ｆを誘電率３以下の低誘電率材により構成してもよい。こうすることにより、無線タグラベルＴを金属部分に貼り付けたときに無線タグ回路素Ｔoにおける通信に生じうる悪影響を抑制することができる。
【００９６】
また、貼り付け用粘着材層１０１ｍと無線タグ回路素子Ｔoとの間に（言い換えれば、ループ側基材層１０１ｋ、ループ部１０１ｒ、フック部１０１ｆ、ファスナー取付用基材層１０１ｊ、粘着層１０１ｉのうちのどこかに）に、適宜の材料からなる高透磁率層を設けてもよい。これにより、高透磁率層を介在させて磁束路を確保することができるので、無線タグラベルを金属部分に貼り付けたときに無線タグ回路素子における通信に生じうる悪影響を確実に抑制することができる。
【００９７】
また、ループ側基材層１０１ｋに備えられたループ部１０１ｒの配置密度を、面ファスナー層１０１Ｆに備えられたフック部１０１ｆの配置密度より小さくしてもよい。これにより、タグラベルＴを短時間貼り付けたり、一時的な仮置き用で貼り付けたりする等の際に便利なタグラベル貼り付け部を設置することができる。
【００９８】
（３）面ファスナー層を一部領域のみに設ける場合（その１）
以上においては、面ファスナー層１０１Ｆは、無線タグ回路素子Ｔoの裏側相当領域全体に設けていたが、無線タグ回路素子Ｔoの裏側相当領域の一部分に設けることもできる。図１５は、この変形例の要部構造を表す面ファスナー層１０１Ｆの表面図であり、上記図８に相当する図である。図８等と同等の部分には同一の符号を付し、説明を省略又は簡略化する。この図１５において、面ファスナー層１０１Ｆは、これを取り付けたファスナー取付用基材層１０１ｊ及び粘着層１０１ｉとともに、無線タグ回路素子ＴoのＩＣ回路部１５１の配置領域に対応する領域を避けて、その長手方向両側にそれぞれ設けられている。なお、面ファスナー層１０１Ｆを覆う剥離ラベル１０１Ｇについては、上記実施形態や変形例と同様の構造でもよいが、上記面ファスナー層１０１Ｆに対応した領域にのみ部分的に設けてもよい。
【００９９】
本変形例においては、以下の効果がある。すなわち、無線タグラベルＴを貼り付け対象部位に対し貼り付けたり引き剥がしたりする場合には、その動作によって曲げ力等が作用する可能性があるが、本変形例では、面ファスナー層１０１ＦをＩＣ回路部領域以外の部分に設けたので、作成後の無線タグラベルＴにおいて、上記曲げ力等が少なくともＩＣ回路部に作用するのを低減でき、無線タグ回路素子Ｔoの耐久性を向上することができる。
【０１００】
（４）面ファスナー層を一部領域にのみ設ける場合（その２）
図１６は、この変形例の要部構造を表す面ファスナー層１０１Ｆの表面図であり、上記図８や図１５に相当する図である。図１５等と同等の部分には同一の符号を付し、説明を省略又は簡略化する。この図１６において、本変形例では、面ファスナー層１０１Ｆは、これを取り付けたファスナー取付用基材層１０１ｊ及び粘着層１０１ｉとともに、無線タグ回路素子Ｔoの（アンテナ１５２Ａ，１５２Ｂ両端部を除く主要部の）配置領域に対応する領域（素子の裏面）を避けて、その外周部に設けられている。なお、面ファスナー層１０１Ｆを覆う剥離ラベル１０１Ｇについては、上記実施形態等と同様の構造でもよいが、上記面ファスナー層１０１Ｆに対応した領域にのみ部分的に設けてもよい。
【０１０１】
本変形例では、面ファスナー層１０１Ｆを無線タグ回路素子Ｔoの主要部領域以外の部分に設けたので、作成後の無線タグラベルＴにおいて、無線タグラベルＴを貼り付け対象部位に対し貼り付けたり引き剥がしたりする動作による曲げ力等が、（ＩＣ回路部１５１のみならず）無線タグ回路素子Ｔoの主要部全体に作用するのを低減でき、無線タグ回路素子Ｔoの耐久性を確実に向上することができる。
【０１０２】
（５）面ファスナー層を一部領域にのみ設ける場合（その３）
図１７は、この変形例の要部構造を表す面ファスナー層１０１ｆの表面図であり、上記図８、図１５、図１６に相当する図である。これら図１６等と同等の部分には同一の符号を付し、説明を省略又は簡略化する。この図１７において、本変形例では、面ファスナー層１０１Ｆは、これを取り付けたファスナー取付用基材層１０１ｊ及び粘着層１０１ｉとともに、アンテナパターンシート１６１の長手方向両端部を避けて、無線タグ回路素子Ｔoの配置領域に対応する領域を含む長手方向中央側にのみ設けている。
【０１０３】
本変形例は、上記（３）（４）の変形例とは異なる主眼のものであり、以下のような効果を奏する。すなわち、面ファスナー層１０１Ｆは構造上、カッタ１５等の切断手段による切断が必ずしも容易でない部分である。本変形例では、最終的にカッタ１５によって切断が行われて無線タグラベルＴが形成される部分であるテープ長手方向両側を避けて、テープ長手方向中央部のＩＣ回路部１５１の裏面側領域にのみ面ファスナー層１０１Ｆを設けたので、ラベル製造時の切断作業を容易にすることができる。
【０１０４】
（６）タグテープとカバーフィルムとの貼り合わせを行わない場合
以上においては、無線タグ回路素子Ｔoを備えたタグテープとしての基材テープ１０１に、別のカバーフィルム１０３に印字を行ってこれらを貼り合わせたが、これに代えて、タグテープに備えられたカバーフィルムに印字を行うタグラベル作成装置に本発明を適用してもよい。
【０１０５】
図１８は、この変形例のカートリッジ１００′の詳細構造を説明するための説明図であり、上記実施形態の図３に対応する図である。図１９図は、この変形例における無線タグラベルＴの側断面図であり、前述の図７に相当する図である。図３、図７等と同等の部分には同一の符号を付し、適宜説明を省略する。
【０１０６】
図１８において、カートリッジ１００′は、感熱テープ１０１′（タグテープ）が巻回された第１ロール（タグテープロール）１０２′と、感熱テープ１０１′をカートリッジ１００′外部方向にテープ送りをするテープ送りローラ１０７′と、感熱テープ１０１′の搬送方向を転向させつつ搬送を行う搬送転向ロール１２０とを有している。
【０１０７】
第１ロール１０２′は、リール部材１０２′ａの周りに、長手方向に複数の上記無線タグ回路素子Ｔoが順次形成された帯状の透明な上記感熱テープ１０１′を巻回している。
【０１０８】
第１ロール１０２′に巻き回される感熱テープ１０１′はこの例では（無線タグ回路素子及びその近傍を除くと）基本的には６層構造となっており、外側に巻かれる側よりその反対側へ向かって、ＰＥＴ（ポリエチレンテレフタラート）等から成るカバーフィルム（タグテープ基材層）１０１′ｂ、適宜の粘着材からなる粘着層（定置用粘着材層）１０１′ｃ、適宜の粘着材からなる粘着層１０１ｉ、適宜の材料からなるファスナー取付用基材層１０１ｊ、面ファスナー層１０１Ｆ、２層からなる剥離ラベル１０１Ｇ′の順序で積層され構成されている。剥離ラベル１０１´Ｇは、仮止め部材としての低粘着層１０１´ｄを剥離紙１０１´ｅに設けて構成されており、この低粘着層１０１´ｄで面ファスナー層１０１´Ｆに弱い接着力で接着することにより、剥離ラベル１０１´Ｇが低粘着層１０１´ｄごと面ファスナー層１０１´Ｆに対し着脱自在に取り付けられている。
【０１０９】
カバーフィルム１０１′ｂの裏側には、粘着層１０１′ｃを挟んで、保護フィルム１６０（保護部材）とこれに覆われる配置で情報を記憶するＩＣ回路部１５１とが設けられている。ＩＣ回路部１５１は保護フィルム１６０の裏側（図１８中左側）に位置している。この保護フィルム１６０の裏側には、情報の送受信を行う２つのアンテナ１５２Ａ，１５２Ｂを表面側に予め配置すると共に、裏面側にアンテナパターンシート１６１（アンテナ基材）が一体的に設けられており、ＩＣ回路部１５１は２つの接続端子１５９Ａ，１５９Ｂを介してそれぞれアンテナ１５２Ａ，１５２Ｂに接続されている。
【０１１０】
面ファスナー層１０１′Ｆは、ファスナー取付用基材層１０１ｊ′を基材として、その裏面に微小な鈎状のフック部１０１′ｆを多数植設してなっている。
【０１１１】
カバーフィルム１０１′ｂと粘着層１０１′ｃはその裏側で、無線タグ回路素子Ｔo全体を内包するように覆い、またカバーフィルム１０１′ｂの表側（図１８中右側）の表面が上記印字ヘッド１０により印字される印字面となっている。そして面ファスナー層１０１′Ｆを設けたアンテナパターンシート１６１の裏面（無線タグラベルの貼り付け対象側である）の全体が剥離ラベル１０１′Ｇで覆われている。剥離ラベル１０１′Ｇは、仮止め部材としての低粘着層１０１′ｄを剥離紙１０１′ｅに設けて構成されており、この低粘着層１０１′ｄで面ファスナー層１０１′Ｆに弱い接着力で接着することにより、剥離ラベル１０１′Ｇが低粘着層１０１′ｄごと面ファスナー層１０１′Ｆに対し着脱自在に取り付けられている。
【０１１２】
なお、この剥離ラベル１０１′Ｇは、最終的にラベル状に完成した無線タグラベルＴが所定の商品等に貼り付けられる際に、これを剥がすことでフック部１０１′ｆにより当該商品等に接着できるようにしたものである。そして、ＩＣ回路部１５１及びアンテナ１５２を備えた上記無線タグ回路素子Ｔo、これを覆うように設けた上記保護フィルム１６０及び上記アンテナパターンシート１６１が、上記粘着層１０１′ｃと粘着層１０１′ｉとの間に挿入されるように介在配置されている。
【０１１３】
カートリッジ１００′が上記タグラベル作成装置２のカートリッジホルダ部に装着されローラホルダ（図示せず）が離反位置から当接位置に移動されると、感熱テープ１０１′が印字ヘッド１０とプラテンローラ１０８との間に狭持されるとともに、テープ送りローラ１０７′とサブローラ１０９との間に狭持される。そして、カートリッジ用モータ２３（図２参照）の駆動力によるテープ送りローラ駆動軸１２の駆動に伴い、テープ送りローラ１０７′、サブローラ１０９、及びプラテンローラ１０８が同期して回転し、第１ロール１０２′から感熱テープ１０１′が繰り出され、搬送転向ロール１２０で大きく方向を転向された後、印字ヘッド１０側へと供給される。
【０１１４】
印字ヘッド１０は、その複数の発熱素子が上記印刷駆動回路２５（図２参照）により通電され、これにより感熱テープ１０１′のカバーフィルム１０１′ｂの表面（図１８中下側の面）に印字が印刷され、印字済タグラベル用テープ１１０′として形成された後、カートリッジ１００′外へと搬出される。なお、前述の実施形態のようなインクリボンを用いた印字としてもよいことは言うまででもない。
【０１１５】
カートリッジ１００′外へ搬出した後、前述のアンテナ１４を介した無線タグ情報へのアクセス（情報読み取り／書き込み）、送出ローラ１７による搬送、カッタ１５による切断等については上記実施形態と同様であるので説明を省略する。
【０１１６】
本変形例においても、上記実施形態とほぼ同様の効果を得る。
【０１１７】
なお、上記は、印字ヘッド１０によりカートリッジの外方からカバーフィルム１０１′ｂに当接させて印字を行ったが、これに限られず、前述の実施形態と同様、インクリボン１０５を用いてカートリッジの内方から印字を行っても良い（いわゆるレセプタタイプ。但し後述のように鏡面文字ではない）。
【０１１８】
なお、以上説明した実施形態や上記（１）〜（６）の変形例の構成を適宜部分的に組み合わせて構成してもよいことは言うまでもなく、これらの場合も同様の効果を得る。
【０１１９】
なお、以上においては、アンテナパターンシート１６１（アンテナ基材）にアンテナ１５２Ａ，１５２Ｂが一体的に設けられ、これを粘着層（定置用粘着材層）１０１ｃを介してベースフィルム（タグテープ基材層）１０１ｂに設けた場合を例にとって説明したが、これに限られない。すなわち、アンテナ１５２Ａ，１５２Ｂが直接ベースフィルム１０１ｂに印刷などの方法によって形成されていてもよい。この場合も同様の効果を得る。
【０１２０】
さらに、以上においては、タグラベル作成装置２は、無線タグ回路素子ＴoのＩＣ回路部１５１から無線タグ情報の読み取りまたは書き込みを行うと共に、サーマルヘッド１０によってその無線タグ回路素子Ｔoの識別をするための印刷（印字）を行うものであったが、この印刷は必ずしも行われなくともよく、無線タグ情報の読み取り又は書き込みのみを行うものであっても構わない。
【０１２１】
さらに、以上において、タグ媒体としての基材テープ１０１又は感熱テープ１０１′がロール１０２，１０２′を構成し、カートリッジ１００，１００′内にそのロール１０２，１０２′が配置されて上記テープ１０１，１０１′が繰り出される場合を例にとって説明したが、これに限られない。例えば、無線タグ回路素子Ｔoが少なくとも一つ配置されたタグ媒体としての長尺平紙状あるいは短冊状のテープやシート（ロールに巻回されたテープを繰り出した後に適宜の長さに切断して形成したものを含む）をスタックしてカートリッジ化し、このカートリッジを上記カートリッジホルダ部に装着してテープやシートを移送、搬送して印字及び書き込みを行いタグラベルＴを作成するようにしてもよい。さらにはカートリッジ方式にも限られず、上記カートリッジを省略して例えば上記ロール１０２，１０２′等を装置２の筐体にじかに装着する構造としてもよい。この場合も、同様の効果を得ることができる。
【０１２２】
その他、一々例示はしないが、本発明は、その趣旨を逸脱しない範囲内において、種々の変更が加えられて実施されるものである。
【図面の簡単な説明】
【０１２３】
【図１】本発明の一実施形態のタグラベル作成装置が適用される無線タグ生成システムを表すシステム構成図である。
【図２】図１に示したタグラベル作成装置の詳細構造を表す概念的構成図である。
【図３】図２に示したタグラベル作成装置に備えられたカートリッジの詳細構造を説明するための説明図である。
【図４】図３に示した高周波回路の詳細機能を表す機能ブロック図である。
【図５】図３の部分拡大図中Ｖ−Ｖ′断面による矢視断面図である。
【図６】図５中Ａ部を抽出して示す部分拡大上面図である。
【図７】図６中VII−VII′断面による側断面図である。
【図８】図７中VIII-VIII′断面による矢視断面図である。
【図９】無線タグ回路素子の機能的構成を表す機能ブロック図である。
【図１０】無線タグラベルの外観の一例を表す上面図、下面図である。
【図１１】図１０中ＸI−ＸI′断面による横断面図である。
【図１２】無線タグ情報へのアクセスに際し、端末又は汎用コンピュータに表示される画面の一例を表す図である。
【図１３】剥離ラベルにフック部を用いた変形例における無線タグラベルの側断面図である。
【図１４】剥離ラベルを金属部材等に粘着可能とした変形例における無線タグラベルの側断面図である。
【図１５】面ファスナー層を一部領域のみに設ける変形例の要部構造を表す面ファスナー層の表面図である。
【図１６】面ファスナー層を一部領域のみに設ける別の変形例の要部構造を表す面ファスナー層の表面図である。
【図１７】面ファスナー層を一部領域のみに設けるさらに別の変形例の要部構造を表す面ファスナー層の表面図である。
【図１８】貼り合わせを行わない変形例のカートリッジの詳細構造を説明するための説明図である。
【図１９】貼り合わせを行わない変形例のカートリッジにおける無線タグラベルの側断面図である。
【符号の説明】
【０１２４】
２            タグラベル作成装置
１００        カートリッジ
１００′      カートリッジ
１０１        基材テープ（タグテープ）
１０１ｂ      ベースフィルム（タグテープ基材層）
１０１ｃ      粘着層（定置用粘着材層）
１０１ｄ      低粘着層（仮止め部材）
１０１ｅ      剥離紙（剥離材）
１０１ｆ      フック部
１０１Ｆ      面ファスナー層
１０１Ｇ      剥離ラベル
１０１ｊ      ファスナー取付用基材層
１０１ｋ      ループ側基材層
１０１ｍ      粘着材層（貼り付け用粘着材層）
１０１ｎ      剥離紙（第２剥離材層）
１０１ｒ      ループ部
１０３        カバーフィルム
１５１        ＩＣ回路部
１５２Ａ      アンテナ
１５２Ｂ      アンテナ
１５９Ａ      接続端子
１５９Ｂ      接続端子
１６０        保護フィルム
１６１        アンテナパターンシート（アンテナ基材）
Ｔ            無線タグラベル
Ｔo           無線タグ回路素子
【図１】
2007065250.tif 000003
【図２】
2007065250.tif 000004
【図３】
2007065250.tif 000005
【図４】
2007065250.tif 000006
【図５】
2007065250.tif 000007
【図６】
2007065250.tif 000008
【図７】
2007065250.tif 000009
【図８】
2007065250.tif 000010
【図９】
2007065250.tif 000011
【図１０】
2007065250.tif 000012
【図１１】
2007065250.tif 000013
【図１２】
2007065250.tif 000014
【図１３】
2007065250.tif 000015
【図１４】
2007065250.tif 000016
【図１５】
2007065250.tif 000017
【図１６】
2007065250.tif 000018
【図１７】
2007065250.tif 000019
【図１８】
2007065250.tif 000020
【図１９】
2007065250.tif 000021